(57)【要約】【課題】断熱金具をケラバにも用いることが可能となり、ケラバ専用葺き替え金具を不要とすることも可能となる施工性に優れたケラバ用断熱金具取付補助具を提供すること。【解決手段】ケラバ用タイトフレーム１の頂部２と下層折板屋根材４の山部６との隙間９に配設可能な板状補助具本体10は、先端側が左右に二分割形成され、この左右の分割板部11間に吊子３を挿入配設可能なスリット部12が設けられ、このスリット部12に吊子３を配設しつつ左右いずれか一方の分割板部11を隙間９に差し込み可能に構成され、左右いずれか他方の分割板部11の上面に、断熱金具８の下部を支持可能な金具支持部13が設けられ、この他方の分割板部11に、断熱金具８に接して一方の分割板部11の隙間９からの抜脱を阻止するかえり部14が設けられているケラバ用断熱金具取付補助具。【選択図】図３
2018145703.tif 000002
【特許請求の範囲】
【請求項１】
ケラバ用タイトフレームに吊子を介して取り付けられている下層折板屋根材のはぜ部に、折板二重葺き用の断熱金具を固定するために用いられるケラバ用断熱金具取付補助具であって、前記ケラバ用タイトフレームの頂部と前記下層折板屋根材の山部との間の隙間に配設可能な板状の補助具本体は、先端側が左右に二分割形成され、この左右の分割板部間に前記吊子を補助具本体の先端側から挿入配設可能なスリット部が設けられていて、このスリット部に吊子を配設しつつ左右いずれか一方の分割板部を前記隙間に差し込み可能に構成されており、左右いずれか他方の前記分割板部の上面に、前記断熱金具の下部を支持可能な金具支持部が設けられていると共に、この他方の分割板部に、前記金具支持部に支持された前記断熱金具に接することにより一方の分割板部の前記隙間からの抜脱を阻止するかえり部が設けられていることを特徴とするケラバ用断熱金具取付補助具。
【請求項２】
前記他方の分割板部の先端部が上方へ折曲されて、この先端折曲部が前記かえり部として構成されていることを特徴とする請求項１記載のケラバ用断熱金具取付補助具。
【請求項３】
前記補助具本体の基端部が下方へ折曲されて、この基端折曲部が持ち手部として構成されていることを特徴とする請求項１，２のいずれか１項に記載のケラバ用断熱金具取付補助具。
【発明の詳細な説明】
【技術分野】
【０００１】
本発明は、ケラバ用タイトフレームに吊子を介して取り付けられている下層折板屋根材のはぜ部に、折板二重葺き用の断熱金具を固定するために用いられるケラバ用断熱金具取付補助具に関するものである。
【背景技術】
【０００２】
従来から、はぜ式折板を上下に二重葺きすることによって断熱性を向上させた二重葺き折板構造屋根が実施されている。
【０００３】
この二重葺き折板構造屋根は、図５に示すように、下層折板屋根材４と上層折板屋根材16とが折板二重葺き用の断熱金具８により取り付けられて二重葺きされるが、屋根のケラバにおいては、屋根下地上に、タイトフレームの山部のおよそ半分の形に相当する形状のケラバ用タイトフレーム１が設置され（図３，図５参照）、このケラバ用タイトフレーム１上に下層折板屋根材４を介して、前記断熱金具８とは異なりケラバ用タイトフレーム１に対し安定的に固定可能なケラバ専用葺き替え金具が固定されて、この葺き替え金具に上層折板屋根材16の端部（はぜ部）が取り付けられている（例えば、特許文献１参照）。
【０００４】
即ち、従来の二重葺き折板構造屋根では、折板二重葺き用の断熱金具８とケラバ専用葺き替え金具との二種類の金具が用いられていた。
【先行技術文献】
【特許文献】
【０００５】
【特許文献１】特開２０１６−２３４６４号公報
【発明の概要】
【発明が解決しようとする課題】
【０００６】
本発明は、この点、ケラバでも断熱金具を用いた上層折板屋根材の取り付けが可能となり、ケラバ専用葺き替え金具が事実上不要となる施工性に優れたケラバ用断熱金具取付補助具を提供するものである。
【課題を解決するための手段】
【０００７】
添付図面を参照して本発明の要旨を説明する。
【０００８】
ケラバ用タイトフレーム１に吊子３を介して取り付けられている下層折板屋根材４のはぜ部５に、折板二重葺き用の断熱金具８を固定するために用いられるケラバ用断熱金具取付補助具であって、前記ケラバ用タイトフレーム１の頂部２と前記下層折板屋根材４の山部６との間の隙間９に配設可能な板状の補助具本体10は、先端側が左右に二分割形成され、この左右の分割板部11間に前記吊子３を補助具本体10の先端側から挿入配設可能なスリット部12が設けられていて、このスリット部12に吊子３を配設しつつ左右いずれか一方の分割板部11を前記隙間９に差し込み可能に構成されており、左右いずれか他方の前記分割板部11の上面に、前記断熱金具８の下部を支持可能な金具支持部13が設けられていると共に、この他方の分割板部11に、前記金具支持部13に支持された前記断熱金具８に接することにより一方の分割板部11の前記隙間９からの抜脱を阻止するかえり部14が設けられていることを特徴とするケラバ用断熱金具取付補助具に係るものである。
【０００９】
また、前記他方の分割板部11の先端部が上方へ折曲されて、この先端折曲部が前記かえり部14として構成されていることを特徴とする請求項１記載のケラバ用断熱金具取付補助具に係るものである。
【００１０】
また、前記補助具本体10の基端部が下方へ折曲されて、この基端折曲部が持ち手部15として構成されていることを特徴とする請求項１，２のいずれか１項に記載のケラバ用断熱金具取付補助具に係るものである。
【発明の効果】
【００１１】
本発明は上述のように構成したから、補助具本体の一方の分割板部を、単にスリット部により吊子を避けつつケラバ用タイトフレームの頂部と下層折板屋根材の山部との間の隙間に差し込むだけで本発明品を下層折板屋根に設置でき、これにより吊子のケラバ外側位置にも断熱金具を支持する金具支持部が形成されて、断熱金具をケラバ用タイトフレームの吊子に取り付けられているはぜ部に安定的に固定可能となり、従って、ケラバにおいても断熱金具が使用可能となるので、現場には断熱金具を持ち込むだけで良く、ケラバ専用葺き替え金具を不要にでき、しかも本発明は、補助具本体が吊子に対して抜脱しようとしても、かえり部が断熱金具に接して抜脱阻止されて断熱金具支持作用を恒久的に発揮できるなど、極めて実用性に優れたケラバ用断熱金具取付補助具となる。
【００１２】
また、請求項２記載の発明においては、前記作用・効果を確実に発揮する前記かえり部を簡易構成にして容易に設計実現可能となる一層実用性に優れた構成のケラバ用断熱金具取付補助具となる。
【００１３】
また、請求項３記載の発明においては、持ち手部を利用して容易に取り扱い可能となると共に、この持ち手部を簡易に設計実現可能となる一層実用性に優れた構成のケラバ用断熱金具取付補助具となる。
【図面の簡単な説明】
【００１４】
【図１】本実施例を示す斜視図である。
【図２】本実施例を、ケラバ用タイトフレームの頂部と下層折板屋根材の山部との間の隙間に差し込み装着した状態を示す斜視図である。
【図３】本実施例を用いて、ケラバの下層折板屋根材のはぜ部に断熱金具を固定した状態を示す正面図である。
【図４】図３の側面図である。
【図５】本実施例を用いた二重葺き折板構造屋根の完成状態を示す概略説明斜視図である。
【発明を実施するための形態】
【００１５】
好適と考える本発明の実施形態を、図面に基づいて本発明の作用を示して簡単に説明する。
【００１６】
屋根のケラバでは、ケラバ用タイトフレーム１に吊子３を介して下層折板屋根材４のはぜ部５が取り付けられているが、このはぜ部５が取り付けられている吊子３を、本発明の補助具本体10の先端側左右の分割板部11間のスリット部12にその先端側から挿入配設しつつ、左右いずれか一方の分割板部11をケラバ用タイトフレーム１の頂部２と下層折板屋根材４の山部６との間の隙間９に差し込むと、左右いずれか他方の前記分割板部11が吊子３よりケラバ外側に配設されることになり、この他方の分割板部11の上面に設けられている金具支持部13に断熱金具８の下部を支持しつつ断熱金具８を前記下層折板屋根材４のはぜ部５に固定することができる。そして、この断熱金具８を介して下層折板屋根材４上に上層折板屋根材16を設置可能となる。
【００１７】
即ち、単に本発明のケラバ用断熱金具取付補助具を、スリット部12により吊子３を避けつつケラバ用タイトフレーム１の頂部２と下層折板屋根材４の山部６との間の隙間９に差し込むだけでケラバの外側位置にも断熱金具８を支持する金具支持部13が形成されることとなり、この金具支持部13に断熱金具８の下部が支持されることで不安定な片持ち固定状態とはならず、断熱金具８がはぜ部５に安定的に固定されることになる。
【００１８】
従って、本発明のケラバ用断熱金具取付補助具を使用することにより屋根のケラバにおいても断熱金具８を使用することが可能となり、事実上ケラバ専用葺き替え金具は不要となる。
【００１９】
また、金具支持部13に下部が支持された状態ではぜ部５に断熱金具８が固定されると、補助具本体10が吊子３に対して抜脱しようとしても（一方の分割板部11が前記隙間９からの抜脱しようとしても）、他方の分割板部11に設けられているかえり部14が断熱金具８に接することにより、この抜脱が阻止されることになる。
【実施例】
【００２０】
本発明の具体的な実施例について図面に基づいて説明する。
【００２１】
先ず、本実施例で使用する折板二重葺き用の断熱金具８について説明する。
【００２２】
図３〜図５に示すように、一対の挟持体18が左右に対向配設され、この挟持体18間に締め付けボルト19が貫通配設され、この締め付けボルト19に締め付けナット22が螺着されていて、例えばこの締め付けナット22を締め付け回動することで各挟持体18の下部に形成した挟持対向部20を締め付け接近させて下層折板屋根材４のはぜ部５に締め付け挟持固定し得るように構成されている。図中符号７は下層折板屋根材４を支持するタイトフレームである。
【００２３】
また、この一対の挟持体18上に合成樹脂製の断熱材21から成る吊子付設部21が設けられ、この吊子付設部21の上部に、前記下層折板屋根材４の上方に配する上層折板屋根材16を取り付ける吊子（図示省略）を取り付け可能に構成されている。
【００２４】
即ち、この吊子付設部21（断熱材21）により断熱金具８に取り付けられた吊子と各挟持体18とが断熱されて、前記下層折板屋根材４と前記上層折板屋根材16とが断熱状態となるように構成されている（一対の挟持体18を介して締め付け挟持固定する下層折板屋根材４と、断熱金具８の吊子に取り付けた上層折板屋根材16とを断熱状態に支持して二重断熱構造屋根を構築するように構成されている。）。
【００２５】
本実施例は、二重葺き折板構造屋根のケラバにおいて、ケラバ用タイトフレーム１に吊子３を介して取り付けられている下層折板屋根材４のはぜ部５に、これまでのケラバ専用葺き替え金具ではなく、前述の断熱金具８を固定するために用いられるケラバ用断熱金具取付補助具に係るもので、補助具本体10は、図１，図２に示すように、下層折板屋根材４のはぜ部５の長さ方向に沿った前後長さを有する平面視略長方形状の金属製薄板材で構成されている。
【００２６】
また、この補助具本体10は、その長さ方向の先端側（図１，図２の奥側）が左右に二分割された二股形状体に形成され、この左右の分割板部11間の帯状の間隙部12が、吊子３付ケラバ用タイトフレーム１の前記吊子３を補助具本体10先端側から挿入配設可能なスリット部12として構成されている。
【００２７】
そして、本実施例は、下層折板屋根材４が取り付けられているケラバ用タイトフレーム１の吊子３を、前記スリット部12に先端側から挿入配設しつつ左右いずれか一方（図１，図２において左側）の分割板部11を、前記ケラバ用タイトフレーム１の頂部２の上面と前記下層折板屋根材４の山部６の下面との間の隙間９に差し込み可能に構成され、隙間９に差し込まれた一方の分割板部11は、ケラバ用タイトフレーム１の頂部２上面に載置されると共に、頂部２上面と下層折板屋根材４の山部６下面とに挟み込まれることで略水平状態に維持され、この際他方の分割板部11が前記吊子３よりケラバの外側に略水平状態で配設するように構成されている。図中符号17は補助具本体10を補強する補強リブである
また、一方の分割板部11は、その先端部が前記隙間９に差し込み易くなるよう平面視半円弧状に形成されている。
【００２８】
また、他方（図１，図２において右側）の分割板部11は、その上面が、前記断熱金具８の挟持体18の下部を支持可能な金具支持部13として構成されている。即ち、ケラバ用タイトフレーム１に吊子３を介して下層折板屋根材４のはぜ部５が取り付けられているが、このはぜ部５が取り付けられている吊子３を、補助具本体10の先端側左右の分割板部11間のスリット部12にその先端側から挿入配設しつつ、一方の分割板部11をケラバ用タイトフレーム１の頂部２上面と前記下層折板屋根材４の山部６下面との間の隙間９に差し込むと、左右いずれか他方の前記分割板部11がケラバの外側に略水平に配設されることになり、この他方の分割板部11の上面の金具支持部13と、吊子３を挟んで反対側に配設されている下層折板屋根材４の山部６上面とに、断熱金具８の一対の挟持体18の下部を夫々支持しつつ断熱金具８を吊子３とこの吊子３に取り付けられているはぜ部５に安定的に固定可能となるように構成されている。
【００２９】
尚、補助具本体10の分割板部11を隙間９に差し込むタイミングは、断熱金具８をはぜ部５（ケラバ用タイトフレーム１の吊子３）に固定する前でも、固定した後でも良い。
【００３０】
また、この他方の分割板部11は、一方の分割板部11より長さを有する形状に形成されていると共に、先端部が上方へ折曲されて、この先端折曲部が前記金具支持部13に支持された前記断熱金具８に接することにより一方の分割板部11の前記隙間９からの抜脱を阻止するかえり部14として構成されている（図４参照）。
【００３１】
尚、図示していないが、他方の分割板部11から切り出し片を切り出して折り起こされたこの折り起こし片がかえり部14として構成されていても良いし、他方の分割板部11に金属片を溶接してこの金属片がかえり部14として構成されていても良い。
【００３２】
また、この補助具本体10は、補助具本体10の基端部（図１，図２の手前側端部）が下方へ略直角に垂下折曲されて、この基端折曲部が持ち手部15として構成され、作業者はこの持ち手部15を持って補助具本体10を取扱いできるように構成されている。
【００３３】
また、前記スリット部12は、手持ち部15にも存するように構成されており、この手持ち部15に存する前記スリット部12の基端部が前記吊子３に接することによって、前記補助具本体10の差し込み方向への必要以上の移動が制限されるように構成されている。
【００３４】
尚、本発明は、本実施例に限られるものではなく、各構成要件の具体的構成は適宜設計し得るものである。
【符号の説明】
【００３５】
１  ケラバ用タイトフレーム
２  頂部
３  吊子
４  下層折板屋根材
５  はぜ部
６  山部
８  断熱金具
９  隙間
10  補助具本体
11  分割板部
12  スリット部
13  金具支持部
14  かえり部
15  持ち手部
【図１】
2018145703.tif 000003
【図２】
2018145703.tif 000004
【図３】
2018145703.tif 000005
【図４】
2018145703.tif 000006
【図５】
2018145703.tif 000007